(57)【特許請求の範囲】
【請求項１】
地中路網に布設された通信、電力用のケーブルまたは該ケーブルを収納する鞘管を通過、分岐或いは接続し得る通信、電力用のケーブル用マンホールに設けられる昇降用のステップであって、該ステップの本体を被覆部材で被覆成形して少なくともその一部に一体的に通信、電力用のケーブルまたは該ケーブルを収納する鞘管を懸架するケーブル保持具を設けたことを特徴とするケーブル懸架用ステップ。
【請求項２】
前記ケーブル保持具は通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする請求項１に記載のケーブル懸架用ステップ。
【請求項３】
前記ケーブル保持具は通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする請求項１に記載のケーブル懸架用ステップ。
【請求項４】
請求項１〜３のいずれか１項に記載のケーブル懸架用ステップが取り付けられたケーブル用マンホールにおいて、地中路網からマンホール内部に引き込まれた通信、電力用のケーブルまたは該ケーブルを収納する鞘管を前記ケーブル懸架用ステップにガイドするガイド部材に通信、電力用のケーブルまたは該ケーブルを収納する鞘管を懸架するケーブル保持具を設けたことを特徴とするケーブル用マンホール。
【請求項５】
前記ケーブル保持具は前記通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする請求項４に記載のケーブル用マンホール。
【請求項６】
前記ケーブル保持具は前記通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする請求項４に記載のケーブル用マンホール。
【発明の詳細な説明】
【０００１】
【発明の属する技術分野】
本発明は、上下水道配管網、地下通信路網、地下共同溝網等の地中路網の途中或いは本管（幹線）と支管（枝線）との分岐点等に設けられ、通信、電力用のケーブルまたは該ケーブルを収納する鞘管を通過、分岐或いは接続し得るケーブル用マンホール及びそれに設けられ通信、電力用のケーブルまたは該ケーブルを収納する鞘管を懸架することが可能な昇降用のケーブル懸架用ステップに関するものである。
【０００２】
【従来の技術】
近年、光ファイバーケーブル等の通信ケーブルや電力ケーブルを地下に埋設するために各ケーブル用の地中管路網の建設が必要であると言われている。しかし、この各ケーブル用の地中管路網を新設するために要する費用は極めて高額となるため、近年都市部において整備されている上下水道配管網を利用して各ケーブルを各需要家に敷設する方法が提案されている。
【０００３】
前述のいずれの地中の管路網或いは下水道配管網を採用した場合にも、各ケーブルを個々の家屋へ引き込むためには、本線ケーブルから分岐された分岐支線ケーブル及び家屋線を個々の家屋へ引き込む必要があり、本線ケーブルから分岐支線ケーブルを分岐するに当たっては、下水道用のマンホールをそのまま利用すると合理的である。
【０００４】
下水道用のマンホールでは通常、ケーブルを懸架する施設が設けられていないためケーブルの懸架及び引回しにはマンホールの壁面の所定位置にアンカーボルトを打ち込んで埋設した後、該ケーブルをサドルにより受けて該サドルに設けられた穴を前記アンカーボルトに嵌挿し、該アンカーボルトにナットを螺合締着してケーブルを懸架していた。
【０００５】
【発明が解決しようとする課題】
しかしながら、アンカーボルトをマンホールの壁面に打ち込む作業及びナットをアンカーボルトに螺合してサドルを取り付ける作業が面倒であり、ケーブルの取り付け作業に手間がかかるという問題がある。
【０００６】
本発明は前記課題を解決するものであり、その目的とするところは、マンホールに敷設される通信、電力用のケーブルまたは該ケーブルを収納する鞘管の取り付け作業を容易にしたケーブル用マンホール及びそれに設けられる昇降用のケーブル懸架用ステップを提供せんとするものである。
【０００７】
【課題を解決するための手段】
前記目的を達成するための本発明に係るケーブル懸架用ステップは、地中路網に布設された通信、電力用のケーブルまたは該ケーブルを収納する鞘管を通過、分岐或いは接続し得る通信、電力用のケーブル用マンホールに設けられる昇降用のステップであって、該ステップの本体を被覆部材で被覆成形して少なくともその一部に一体的に通信、電力用のケーブルまたは該ケーブルを収納する鞘管を懸架するケーブル保持具を設けたことを特徴とする。
【０００８】
上記構成によれば、昇降用のステップの一部に設けたケーブル保持具により通信、電力用のケーブルまたは該ケーブルを収納する鞘管を容易に懸架することが出来る。
【０００９】
また、前記ケーブル保持具を通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成した場合には、ケーブル保持具の開口部に設けられた爪部にケーブルや鞘管を当接させて押し込むことで、該爪部が弾性変形して退避し、該ケーブルや鞘管をケーブル保持具の収納部に収納することが出来る。そして、該ケーブルや鞘管が該収納部に収納された状態で爪部がケーブルや鞘管の当接から開放されて復元し、ケーブルや鞘管を収納部に収納した状態で保持することが出来る。
【００１０】
また、前記ケーブル保持具を前記ステップ本体に被覆される被覆部材と一体的に成形した場合には、ケーブル懸架用の部品を別途用意する必要がないので部品点数を削減することが出来る。
【００１１】
また、前記ケーブル保持具を通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成した場合には、ケーブル保持具の開口部に設けられた爪部にケーブルや鞘管を当接させて押し込むことで該爪部が回動して退避し、該ケーブルや鞘管をケーブル保持具の収納部に収納することが出来る。そして、該ケーブルや鞘管が該収納部に収納された状態で爪部がケーブルや鞘管の当接から開放されて復元し、ケーブルや鞘管を収納部に収納した状態で保持することが出来る。
【００１２】
また、本発明に係るケーブル用マンホールは、前記ケーブル懸架用ステップが取り付けられたケーブル用マンホールにおいて、地中路網からマンホール内部に引き込まれた通信、電力用のケーブルまたは該ケーブルを収納する鞘管を前記ケーブル懸架用ステップにガイドするガイド部材に通信、電力用のケーブルまたは該ケーブルを収納する鞘管を懸架するケーブル保持具を設けたことを特徴とする。
【００１３】
上記構成によれば、ガイド部材に設けたケーブル保持具により通信、電力用のケーブルまたは該ケーブルを収納する鞘管を容易に懸架することが出来、これにより地中路網からマンホール内部に引き込まれた通信、電力用のケーブルまたは該ケーブルを収納する鞘管を前記ケーブル懸架用ステップにガイドすることが出来る。
【００１４】
また、前記ガイド部材に設けたケーブル保持具の具体的構成は、前記通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して弾性変形して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする。
【００１５】
また、前記ガイド部材に設けたケーブル保持具の他の具体的構成は、前記通信、電力用のケーブルまたは該ケーブルを収納する鞘管を懸架して収納する収納部の開口部に設けられた爪部が該開口部から前記ケーブルまたは鞘管を押し込んで前記収納部に収納する際に該ケーブルまたは鞘管に当接して回動して退避し、該ケーブルまたは鞘管が前記収納部に収納された状態で前記爪部が前記ケーブルまたは鞘管の当接から開放されて復元して前記ケーブルまたは鞘管を前記収納部に収納した状態で保持するように構成したことを特徴とする。
【００１６】
上記各ケーブル用マンホールの構成によれば、地中路網からマンホール内部に引き込まれた通信、電力用のケーブルまたは該ケーブルを収納する鞘管をケーブル懸架用ステップにガイドするガイド部材に設けられた各ケーブル保持具によっても上述と同様にケーブルを容易に懸架することが出来る。
【００１７】
【発明の実施の形態】
図により本発明に係るケーブル懸架用ステップ及びそれを設けたケーブル用マンホールの一実施形態を具体的に説明する。図１は本発明に係るケーブル懸架用ステップを設けたケーブル用マンホールの構成を示す横断面説明図、図２は本発明に係るケーブル懸架用ステップを設けたケーブル用マンホールの構成を示す縦断面説明図、図３は本発明に係るケーブル懸架用ステップを設けたケーブル用マンホールの構成を示す平面図、図４（ａ）は本発明に係るケーブル懸架用ステップの第１実施形態の構成を示す平面図、図４（ｂ）は本発明に係るケーブル懸架用ステップの第１実施形態の構成を示す側面図、図５は第１実施形態のケーブル保持具の構成を示す拡大斜視図、図６（ａ）〜（ｄ）は第１実施形態のケーブル保持具にケーブルを懸架する様子を示す図、図７（ａ），（ｂ）はガイド部材の構成を示す図、図８はガイド部材に取り付けられるケーブル保持具の構成を示す拡大斜視図、図９（ａ）〜（ｃ）は本発明に係るケーブル懸架用ステップの第２実施形態の構成を示す図、図10（ａ）〜（ｃ）は本発明に係るケーブル懸架用ステップの第３実施形態の構成を示す図、図11（ａ）〜（ｃ）はガイド部材に取り付けられるケーブル保持具の他の構成を示す図である。
【００１８】
図１乃至図３において、１は本発明に係るケーブル懸架用ステップを設けたケーブル用マンホールであって、上下水道配管網、地下通信路網、地下共同溝網等の地中路網の途中或いは本管（幹線）と支管（枝線）との分岐点等に設けられ、少なくとも一部がケーブル懸架用ステップ12を兼ねる昇降用のステップ12を用いて作業員が構内に入って地中路網に布設された光ファイバーケーブル等の通信ケーブルや電力ケーブル或いは該ケーブルを収納する鞘管13を通過、分岐或いは接続し得るようになっている。
【００１９】
ケーブル用マンホール１は、地中を深く掘って栗石２を敷設した上に底版３を設置し、且つ、この底版３上に直壁管４が積層され、該直壁管４の上部にケーブル用マンホール１の開口部に向かって次第に内径が小さくなるように形成された斜壁管５が積層されている。
【００２０】
更に、斜壁管５の上部には調整リング６、調整ワッシャー７及び蓋受枠８が順次積層され、該蓋受枠８に蓋９が嵌合して支持されている。また、ケーブル用マンホール１の内周壁には複数の昇降用ステップ12が取付けられており、該ステップ12の一部には必要に応じて選択的に通信、電力用のケーブルまたは該ケーブルを収納する鞘管13を懸架するためのケーブル保持具となるフック14が設けられている。そして、作業員が蓋９を開けて昇降用のステップ12を利用してケーブル用マンホール１の内部に入って作業が出来るようになっている。
【００２１】
前記直壁管４の下部壁面には水平管路10，11が夫々連結されており、下水道配管網の場合には夫々の水平管路10，11が下水の流入管及び流出管として利用され、且つ光ファイバーケーブル等の通信ケーブルや電力ケーブル或いは該ケーブルを収納する鞘管13を敷設する地中路網を兼ねている。
【００２２】
本実施形態ではステップ12が一方の水平管路11側にケーブル用マンホール１の内壁上下方向に配置されており、該ステップ12に隣設して通信、電力用のケーブルまたは該ケーブルを収納する鞘管13を通過、分岐、接続するためのケーブル用通過或いは分岐、接続ボックス15が前記直壁管４の内壁面にアンカーボルトやナット等を介してボルト止めまたは固定架台等の固定手段により取付固定されている。
【００２３】
尚、ケーブル用通過或いは分岐、接続ボックス15の取り付け位置は直壁管４に限定されるものではなく、例えば、斜壁管５の壁面等に設けても良く、ケーブル用マンホール１の内部の所定位置に取り付けられる。
【００２４】
また、前記直壁管４の内壁面には水平管路10から引き込まれたケーブル、鞘管13をステップ12のフック14まで導くためのガイド部材20が設けられており、該ガイド部材20には同じくケーブル、鞘管13を懸架するためのケーブル保持具となるフック14が設けられている。
【００２５】
図２に示すように、水平管路10からケーブル用マンホール１内に引き込まれたケーブル、鞘管13はガイド部材20に設けられたフック14により懸架されてステップ12に設けられたフック14に導かれて該フック14に懸架され、水平管路11からケーブル用マンホール１内に引き込まれたケーブル、鞘管13は直接ステップ12に設けられたフック14に導かれて該フック14に懸架されて水平管路10，11から引き込まれた両ケーブル、鞘管13は束ねられ、各ステップ12に設けられたフック14により懸架されて直壁管４の内壁面に沿って上方向に架設され、ケーブル用通過或いは分岐、接続ボックス15に導かれて該ケーブル用通過或いは分岐、接続ボックス15内部で相互に接続したり、或いは分岐、通過し得るように構成されている。
【００２６】
図１に示すように、ケーブル用通過或いは分岐、接続ボックス15に接続されたケーブル、鞘管13は該ケーブル用通過或いは分岐、接続ボックス15の下方において所定の径を有するループ13ａを形成している。従って、ケーブル、鞘管13はこのループの作用によって、ケーブル用通過或いは分岐、接続ボックス15の下方で揃えて該ケーブル用通過或いは分岐、接続ボックス15の内部に挿入することが出来るように構成されている。
【００２７】
次に本発明に係るケーブル懸架用ステップの第１実施形態の構成について図４〜図６を用いて詳細に説明する。図４において、ステップ12はステンレス鋼材等を用いて構成されたステップ本体16の外周をプラスチック等の被覆部材17で被覆し、この被覆部材17に上記フック14が一体的に成形されている。したがって、この場合のフック14はケーブル保持具として機能するので、ケーブル保持具として他に特別な部品を必要としない。
【００２８】
ステップ12の本体16の両端部にはネジ山16ａが形成されており、直壁管４に設けられた貫通穴４ａに内側からパッキン18を介在させて該ステップ12の本体16の両端部を挿通した後、外側にパッキン18を介在させて座付きナット19をステップ12の本体16の両端部に設けたネジ山16ａに螺合締着してステップ12を直壁管４に固定する。
【００２９】
ステップ12の被覆部材17と一体的に成形されたフック14は、本実施形態では、ポリプロピレン樹脂等の合成樹脂で構成された弾性部材からなり、図５に示すように、フック14には通信、電力用のケーブルまたは該ケーブルを収納する鞘管13を懸架して収納するためのＵ字形状の収納部14ｂが設けられ、該収納部14ｂの開口部の両側端部には該収納部14ｂの内部側に向かって配置された一対の爪部14ｃが形成されている。
【００３０】
爪部14ｃと収納部14ｂとの間で該収納部14ｂの内部側には溝部14ｄが形成されており、フック14の開口部からケーブル、鞘管13を押し込んで収納部14ｂに収納する際にケーブル、鞘管13が爪部14ｃに当接して該爪部14ｃを収納部14ｂの内部側に押した際に前記溝部14ｄの作用により爪部14ｃが弾性変形して収納部14ｂの内部側に退避し易くなっている。
【００３１】
また、ケーブル、鞘管13がフック14の収納部14ｂに収納された状態で爪部14ｃがケーブル、鞘管13の当接から開放されて復元することで、ケーブル、鞘管13を収納部14ｂに収納した状態で保持することが出来るようになっている。
【００３２】
上記構成のケーブル懸架用ステップ12のフック14にケーブル、鞘管13を懸架する懸架方法について図６を用いて詳細に説明する。先ず、図６（ａ）に示すように、ステップ12の被覆部材17に一体的に設けられたフック14の収納部14ｂの開口部両側に設けられた一対の爪部14ｃの略中央開口部にケーブル、鞘管13を当接させる。
【００３３】
その後、ケーブル、鞘管13を収納部14ｂの内部側に押し込んで爪部14ｃを弾性変形させて該収納部14ｂの内部側に退避させた後（図６（ｂ），（ｃ）参照）、該ケーブル、鞘管13を収納部14ｂに収納する。
【００３４】
そして、爪部14ｃはケーブル、鞘管13が収納部14ｂに収納された状態でケーブル、鞘管13の当接から開放されて図６（ｄ）に示すように復元し、ケーブル、鞘管13を収納部14ｂに収納した状態で保持する。
【００３５】
上記構成によれば、ケーブル用通過或いは分岐、接続ボックス15の取付位置に合わせてケーブル用マンホール１に設けられた昇降用ステップ12として一部にフック14を設けたステップ12を取り付けて配置し、該フック14のケーブル、鞘管13を懸架して収納する収納部14ｂの開口部に設けられた爪部14ｃにケーブル、鞘管13を当接させて押し込むことで、該爪部14ｃが弾性変形して退避し、該ケーブル、鞘管13をフック14の収納部14ｂに収納することが出来る。そして、該ケーブル、鞘管13が該収納部14ｂに収納された状態で爪部14ｃがケーブル、鞘管13の当接から開放されて復元し、ケーブル、鞘管13を収納部14ｂに収納した状態で保持することが出来る。
【００３６】
従って、作業員が蓋９を開放してステップ12を利用してケーブル用マンホール１内に入り、ケーブル、鞘管13をフック14の開口部から押し込むだけのワンタッチ作業でケーブル、鞘管13をフック14に懸架することが出来るため作業性が良く、短時間で作業が出来る。
【００３７】
フック14は図４（ａ）に示すように、作業員がステップ12を踏んで昇降する際の足掛け部から外れた位置でケーブル、鞘管13を懸架するように構成すれば好ましく、これにより作業の安全性を確保することが出来る。
【００３８】
また、本実施形態では、フック14をステップ12の本体16に被覆される被覆部材17と一体的に成形したことでケーブル懸架用の部品を別途用意する必要がないので部品点数を削減することが出来、フックの取り付け工数を削減してコストダウンを図ることが出来る。
【００３９】
尚、前記フック14の材質及び収納部14ｂや爪部14ｃの形状は種々の材質や形状が考えられ、本実施形態に限定されるものではない。例えば、前記フック14をステンレス等の金属で構成された弾性部材で構成することも可能であるが、電気的絶縁性を確保する必要がある場合には該フック14をポリプロピレン樹脂等の合成樹脂や他の弾性を有する絶縁材料により構成することが好ましい。
【００４０】
また、本実施形態では収納部14ｂの開口部の両側端部に一対の爪部14ｃを形成した場合について説明したが、他の構成として、収納部14ｂの開口部の一端部に一つの爪部を形成し、この爪部にケーブル、鞘管13を当接させて押し込むことで、該爪部が弾性変形して退避し、該ケーブル、鞘管13をフック14の収納部14ｂに収納することが出来、該ケーブル、鞘管13が該収納部14ｂに収納された状態で前記爪部がケーブル、鞘管13の当接から開放されて復元し、ケーブル、鞘管13を収納部14ｂに収納した状態で保持することが出来るように構成しても良い。
【００４１】
また、前記実施形態では各ステップ12に１つのフック14を設けた場合について説明したが、各ステップ12に複数のフック14を設けて構成しても良い。この場合、各ケーブル、鞘管13を各ステップ12に設けられた別々のフック14に懸架して並行してケーブル用通過或いは分岐、接続ボックス15に引き込むことが出来、複数のケーブル、鞘管13を束ねて各ステップ12に設けられたフック14に収納する必要がないので、ケーブル、鞘管13の捌きが容易となり、小さなフック14を使用することが出来る。
【００４２】
次に図７及び図８を用いて水平管路10からケーブル用マンホール１内部に引き込まれたケーブル、鞘管13をステップ12のフック14にガイドするガイド部材20の構成について詳細に説明する。図７において、ガイド部材20は直壁管４の曲率に対応する曲率と水平管路10のケーブル用マンホール１に接続された開口部10ａから直壁管４の内壁面に沿ってステップ12に到る長さとを有する断面Ｌ字形状のステンレス製等のアングル材で構成されており、水平管路10の開口部10ａとステップ12との間の直壁管４の内壁面に配置して固定されている。
【００４３】
アングル材からなるガイド部材20の起立片20ａ及び水平片20ｂには所定の位置に夫々貫通穴が形成されており、直壁管４の内壁に埋設されたインサート21に対してボルト22を起立片20ａの貫通穴に挿入して該インサート21内部に設けられたネジ溝に螺合締着することでガイド部材20が直壁管４の内壁面に固定される。
【００４４】
尚、本実施形態ではガイド部材20を略水平状態に配置して固定したが、これに限定されるものではなく、直壁管４の内壁面に沿って上下方向に螺旋状に配置して固定されるものでも良い。また、直壁管４に対するガイド部材20の固定方法も他の種々の方法が考えられ、上記固定方法に限定されるものではない。
【００４５】
一方、ガイド部材20の水平片20ｂに穿設された貫通穴には図８に示すフック14のボルト部14ａが挿入され、該ボルト部14ａにナット21が螺合締着されてフック14がガイド部材20に固定される。図７（ａ）において20ｃは水平片20ｂの端部に設けられた縁取り部であり、ケーブル用マンホール１の内部に入って作業する作業員やケーブル、鞘管13が不用意にガイド部材20に接触しても安全に作業が出来、またケーブル、鞘管13の保全が確保出来るように突端部を削除したものである。
【００４６】
図８に示すフック14は図５及び図６に示したフック14がステップ12の被覆部材17と別体で構成され、Ｕ字形状の収納部14ｂの爪部14ｃが設けられた開口部と反対側にボルト部14ａが設けられた以外は略同様に構成され、同様にケーブル、鞘管13をワンタッチ作業で懸架することが出来るものである。
【００４７】
次に図９を用いて本発明に係るケーブル懸架用ステップの第２実施形態の構成について説明する。尚、前記第１実施形態と同様に構成したものは同一の符号を付して説明を省略する。本実施形態では、図９（ａ）〜（ｂ）に示すように、ステップ12の一部にＵ字形状のシャックル31を引っ掛けて係合し、該シャックル31の両端部に形成したネジ山部を板状のテーパーワッシャー32に穿設した貫通穴に挿通して該ネジ山部にナット33，長ナット34を螺合締着して固定し、更に該長ナット34に図８に示すフック14のボルト部14ａを螺合締着して固定して昇降用のステップ12にフック14を取り付けたものである。
【００４８】
本実施形態では、昇降用のステップ12をフック14と別体で構成したことで既存のステップを利用してフック14を取り付けることが出来るので前記第１実施形態のように新設のマンホールでなくとも既存のマンホールにもそのまま適用することが出来るので好ましい。他の構成は、前記第１実施形態と略同様に構成され、同様な効果を得ることが出来るものである。
【００４９】
次に図10を用いて本発明に係るケーブル懸架用ステップの第３実施形態の構成について説明する。尚、前記第１、第２実施形態と同様に構成したものは同一の符号を付して説明を省略する。前記各実施形態ではステップ12に設けられたフック14は該フック14の爪部14ｃがケーブル、鞘管13の懸架時に弾性変形して退避し、収納部14ｂに収納された後復元するように構成した場合について説明したが、図10に示す本実施形態では、図10（ａ）〜（ｃ）に示すように、ステップ12に設けられたケーブル保持具となるフック41の爪部41ｃがケーブル、鞘管13の懸架時に回動軸41ｄを中心に回動して退避し、収納部41ｂに収納された後復元するように構成したものである。
【００５０】
本実施形態では、図10（ａ）〜（ｃ）に示すように、前述した第２実施形態と同様の長ナット34にボルト部41ａを螺合締着してステップ12に取り付けられるフック41はステンレス鋼材等で構成され、ケーブル、鞘管13を懸架して収納する略Ｇ字形状の収納部41ｂの開口部に爪部41ｃが回動軸41ｄを中心に回動可能に設けられている。
【００５１】
収納部41ｂ及び爪部41ｃの所定位置には回動軸41ｄに嵌入支持されたねじりコイルバネ42の端部を夫々係止する係止片41ｅ，41ｆが設けられており、該ねじりコイルバネ42の付勢力により爪部41ｃは図10（ｃ）の矢印ａ方向に常時付勢されている。そして、収納部41ｂに設けられた係止片41ｅに爪部41ｃの収納部41ｂ側の端面41ｇが当接して図10（ａ）に示す状態で保持されている。
【００５２】
そして、図10（ａ）に示すように、爪部41ｃが設けられた収納部41ｂの開口部からケーブル、鞘管13を押し込むことで該ケーブル、鞘管13が爪部41ｃの端部に当接してねじりコイルバネ42の付勢力に抗して爪部41ｃを回動軸41ｄを中心に図10（ｂ）の矢印ｂ方向に押し回し、該爪部41ｃを収納部41ｂの内部側に退避させる。
【００５３】
その後、ケーブル、鞘管13が収納部41ｂに収納された状態で爪部41ｃがケーブル、鞘管13の当接から開放されると、該爪部41ｃは再びねじりコイルバネ42の付勢力により回動軸41ｄを中心に図10（ｃ）の矢印ａ方向に回動して爪部41ｃの収納部41ｂ側の端面41ｇが該収納部41ｂの係止片41ｅに当接して係止されて復元し、ケーブル、鞘管13が収納部41ｂに収納された状態で保持される。
【００５４】
次に図11を用いてガイド部材20に設けられるフックの他の構成について説明する。図７に示したガイド部材20に設けられたフック14では該フック14の爪部14ｃがケーブル、鞘管13の懸架時に弾性変形して退避し、収納部14ｂに収納された後復元するように構成した場合について説明したが、図11に示す本実施形態では、図11（ａ）〜（ｃ）に示すように、ガイド部材20に設けられたケーブル保持具となるフック51の爪部51ｃがケーブル、鞘管13の懸架時に回動軸51ｄを中心に回動して退避し、収納部51ｂに収納された後復元するように構成したものである。
【００５５】
図11（ａ）〜（ｃ）において、ガイド部材20の水平片20ｂに穿設された貫通穴にステンレス鋼材等で構成されたフック51のボルト部51ａが挿入され、該ボルト部51ａにナット21が螺合締着されて該フック51がガイド部材20に固定される。
【００５６】
フック51はケーブル、鞘管13を懸架して収納するＵ字形状の収納部51ｂの開口部の両側に一対の爪部51ｃが回動軸51ｄを中心に夫々独立して回動可能に設けられている。
【００５７】
一対の爪部51ｃは夫々の爪部51ｃの一端部に設けられた当接面51ｅが収納部51ｂの下部に設けられた当接面51ｆに当接した状態で自重により図11（ａ）に示す状態で保持されている。
【００５８】
そして、図11（ａ）に示すように、両側に一対の爪部51ｃが設けられた収納部51ｂの開口部の略中央部からケーブル、鞘管13を押し上げることで該ケーブル、鞘管13が一対の爪部51ｃの下端部に当接して該爪部51ｃの自重に抗して爪部51ｃを回動軸51ｄを中心に図11（ｂ）の矢印ｃ，ｄ方向に夫々押し回し、一対の爪部51ｃを収納部51ｂの内部側に退避させる。
【００５９】
その後、ケーブル、鞘管13が収納部51ｂに収納された状態で一対の爪部51ｃがケーブル、鞘管13の当接から開放されると、該爪部51ｃはその自重により回動軸51ｄを中心に図11（ｂ）の矢印ｃ，ｄと反対方向に夫々回動して爪部51ｃの一端部に設けられた当接面51ｅが収納部51ｂの下部に設けられた当接面51ｆに当接した状態に復元し、ケーブル、鞘管13が収納部51ｂに収納された状態で保持される。
【００６０】
尚、図中、収納部51ｂの下部に当接面51ｆに連続して設けられた傾斜当接面51ｇは爪部51ｃの上端部が該傾斜当接面51ｇに当接することで該爪部51ｃが回動軸51ｄを中心に図11（ｂ）の矢印ｃ，ｄ方向に回動した際の最大回動角度を規制するためのものであり、これにより爪部51ｃが自重により回動軸51ｄを中心に図11（ｂ）の矢印ｃ，ｄと反対方向に夫々回動して爪部51ｃの一端部に設けられた当接面51ｅが収納部51ｂの下部に設けられた当接面51ｆに当接した状態に確実に復元出来るようになっている。
【００６１】
尚、ガイド部材20に図10に示したフック41を取り付けて構成しても同様の効果が得られるものであり、更には、ガイド部材20をアングル材以外の例えば断面コの字型等の他の種々の形状でフック14，41，51を取り付けて構成することでも良い。
【００６２】
尚、前記ケーブル用マンホール１は丸管で構成した場合の一例を示したが、他の形状として断面楕円形状管や長円形状管、或いは角管で構成されるケーブル用マンホール１に適用することも可能である。
【００６３】
【発明の効果】
本発明は、上述の如き構成と作用とを有するので、マンホールに敷設される通信、電力用のケーブルまたは該ケーブルを収納する鞘管の取り付け作業を容易にしたケーブル用マンホール及びそれに設けられる昇降用のケーブル懸架用ステップを提供することが出来る。
【００６４】
特に昇降用ステップに弾性変形してケーブルまたは鞘管を懸架し得るケーブル保持具を設けた場合にはワンタッチ作業でケーブルや鞘管を容易に懸架することが出来る。また、前記ケーブル保持具を昇降用ステップ本体に被覆される被覆部材と一体的に成形した場合には、ケーブル懸架用の部品を別途用意する必要がないので部品点数を削減することが出来る。
【００６５】
昇降用ステップに回動してケーブルまたは鞘管を懸架し得るケーブル保持具を設けた場合も同様にワンタッチ作業でケーブルを容易に懸架することが出来る。
【００６６】
また、地中路網からマンホール内部に引き込まれた通信、電力用のケーブルまたは該ケーブルを収納する鞘管を前記ケーブル懸架用ステップにガイドするガイド部材に弾性変形或いは回動して該ケーブルまたは鞘管を懸架し得るケーブル保持具を設けた場合には該ケーブル保持具によっても上述と同様にワンタッチ作業でケーブルを容易に懸架することが出来る。
【図面の簡単な説明】
【図１】本発明に係るケーブル懸架用ステップを設けたケーブル用マンホールの構成を示す横断面説明図である。
【図２】本発明に係るケーブル懸架用ステップを設けたケーブル用マンホールの構成を示す縦断面説明図である。
【図３】本発明に係るケーブル懸架用ステップを設けたケーブル用マンホールの構成を示す平面図である。
【図４】（ａ）は本発明に係るケーブル懸架用ステップの第１実施形態の構成を示す平面図、（ｂ）は本発明に係るケーブル懸架用ステップの第１実施形態の構成を示す側面図である。
【図５】第１実施形態のケーブル保持具の構成を示す拡大斜視図である。
【図６】（ａ）〜（ｄ）は第１実施形態のケーブル保持具にケーブルを懸架する様子を示す図である。
【図７】（ａ），（ｂ）はガイド部材の構成を示す図である。
【図８】ガイド部材に取り付けられるケーブル保持具の構成を示す拡大斜視図である。
【図９】（ａ）〜（ｃ）は本発明に係るケーブル懸架用ステップの第２実施形態の構成を示す図である。
【図１０】（ａ）〜（ｃ）は本発明に係るケーブル懸架用ステップの第３実施形態の構成を示す図である。
【図１１】（ａ）〜（ｃ）はガイド部材に取り付けられるケーブル保持具の他の構成を示す図である。
【符号の説明】
１…ケーブル用マンホール
２…栗石
３…底版
４…直壁管
５…斜壁管
６…調整リング
７…調整ワッシャー
８…蓋受枠
９…蓋
10…水平管路
10ａ…開口部
11…水平管路
12…ステップ
13…ケーブル、鞘管
13ａ…ループ
14…フック
14ａ…ボルト部
14ｂ…収納部
14ｃ…爪部
14ｄ…溝部
15…ケーブル用通過或いは分岐、接続ボックス
16…本体
16ａ…ネジ山
17…被覆部材
18…パッキン
19…座付きナット
20…ガイド部材
20ａ…起立片
20ｂ…水平片
20ｃ…縁取り部
21…ナット
31…シャックル
32…テーパーワッシャー
33…ナット
34…長ナット
41…フック
41ａ…ボルト部
41ｂ…収納部
41ｃ…爪部
41ｄ…回動軸
41ｅ，41ｆ…係止片
41ｇ…端面
42…ねじりコイルバネ
51…フック
51ａ…ボルト部
51ｂ…収納部
51ｃ…爪部
51ｄ…回動軸
51ｅ，51ｆ…当接面
51ｇ…傾斜当接面
【図１】
0004047446.tif 000002
【図２】
0004047446.tif 000003
【図３】
0004047446.tif 000004
【図４】
0004047446.tif 000005
【図５】
0004047446.tif 000006
【図６】
0004047446.tif 000007
【図７】
0004047446.tif 000008
【図８】
0004047446.tif 000009
【図９】
0004047446.tif 000010
【図１０】
0004047446.tif 000011
【図１１】
0004047446.tif 000012